(57)【要約】【課題】イメージ表示方法及びその装置を提供する。【解決手段】タッチスクリーン上にイメージを表示する方法において、時間情報がマッチングされた第１イメージを表示し、前記第１イメージが表示されている領域において所定の方向にタッチ入力を受信し、前記タッチ入力の前記方向に基づいて、前記第１イメージにマッチングされた前記時間情報を変更し、その変更された時間情報にマッチングする第２イメージを表示するイメージ表示方法である。【選択図】図１
2013168144.tif 000002
【特許請求の範囲】
【請求項１】
タッチスクリーン上にイメージを表示する方法において、
時間情報がマッチングされた第１イメージを表示する段階と、
前記第１イメージが表示されている領域において、所定の方向にタッチ入力を受信する段階と、
前記タッチ入力の前記方向に基づいて、前記第１イメージにマッチングされた前記時間情報を変更する段階と、
前記変更された時間情報にマッチングする第２イメージを表示する段階と、を含むイメージ表示方法。
【請求項２】
前記時間情報は、前記イメージが生成された日付及び時刻のうち、少なくとも一つを含むことを特徴とする請求項１に記載のイメージ表示方法。
【請求項３】
前記イメージ表示方法は、前記タッチ入力の前記方向を決定する段階をさらに含み、
前記時間情報を変更する段階は、前記タッチ入力の前記方向が前記領域の第１方向に決定された場合、前記第１イメージが生成された前記日付を変更し、前記領域の第２方向に決定された場合、前記第１イメージが生成された前記時刻を変更する段階を含むことを特徴とする請求項２に記載のイメージ表示方法。
【請求項４】
前記第１方向は、前記領域の左方向または右方向であり、前記第２方向は、前記領域の上方向または下方向であることを特徴とする請求項３に記載のイメージ表示方法。
【請求項５】
前記タッチ入力の前記方向は、前記タッチ入力の開始点の位置、終了点の位置、加速度の方向及び入力パターンのうち、少なくとも一つに基づいて決定されることを特徴とする請求項１ないし４のうちいずれか１項に記載のイメージ表示方法。
【請求項６】
前記イメージ表示方法は、少なくとも１つのイメージを、生成された日付に基づいて検索するための日付検索バーを表示する段階をさらに含み、
前記日付検索バーは、前記少なくとも１つのイメージが生成された前記日付それぞれにマッチングする前記イメージの個数を表示することを特徴とする請求項１ないし５のうちいずれか１項に記載のイメージ表示方法。
【請求項７】
前記イメージ表示方法は、前記少なくとも１つのイメージが生成された前記日付それぞれにマッチングする前記イメージを、生成された時刻に基づいて検索するための時刻検索バーを表示する段階をさらに含むことを特徴とする請求項６に記載のイメージ表示方法。
【請求項８】
前記イメージ表示方法は、前記日付検索バーが表示された領域、及び前記時刻検索バーが表示された領域のうち少なくとも一つに係わるタッチ入力に基づいて選択されたイメージを表示する段階をさらに含むことを特徴とする請求項７に記載のイメージ表示方法。
【請求項９】
前記日付検索バーを表示する段階は、前記日付検索バーが表示された領域に係わるタッチ入力に基づいて選択された前記日付を、カーサ及び数字のうち少なくとも一つを用いて表示する段階を含むことを特徴とする請求項６ないし８のうちいずれか１項に記載のイメージ表示方法。
【請求項１０】
前記イメージ表示方法は、前記日付検索バーが表示されている領域においてマルチタッチ入力に基づいて、日付検索区間を拡大または縮小して調節する段階をさらに含むことを特徴とする請求項６ないし９のうちいずれか１項に記載のイメージ表示方法。
【請求項１１】
前記タッチ入力を受信する段階は、スワイプ入力、ドラッグ・アンド・ドロップ入力及びフリック入力のうち、少なくとも一つを受信する段階を含むことを特徴とする請求項１ないし１０のうちいずれか１項に記載のイメージ表示方法。
【請求項１２】
前記イメージ表示方法は、超音波診断装置で行われることを特徴とする請求項１ないし１１のうちいずれか１項に記載のイメージ表示方法。
【請求項１３】
タッチスクリーン上にイメージを表示する装置において、
時間情報がマッチングされた第１イメージを表示するディスプレイ部と、
前記第１イメージが表示されている領域において、所定の方向にタッチ入力を受信する入力受信部と、
前記タッチ入力の前記方向に基づいて、前記第１イメージにマッチングされた前記時間情報を変更するイメージ決定部と、を含み、
前記ディスプレイ部は、前記変更された時間情報にマッチングする第２イメージを表示することを特徴とするイメージ表示装置。
【請求項１４】
前記時間情報は、前記イメージが生成された日付及び時刻のうち、少なくとも一つを含むことを特徴とする請求項１３に記載のイメージ表示装置。
【請求項１５】
前記イメージ決定部は、前記タッチ入力の前記方向を決定し、前記タッチ入力の前記方向が前記領域の第１方向に決定された場合、前記第１イメージが生成された前記日付を変更し、前記領域の第２方向に決定された場合、前記第１イメージが生成された前記時刻を変更することを特徴とする請求項１４に記載のイメージ表示装置。
【請求項１６】
前記第１方向は、前記領域の左方向または右方向であり、前記第２方向は、前記領域の上方向または下方向であることを特徴とする請求項１５に記載のイメージ表示装置。
【請求項１７】
前記タッチ入力の前記第１イメージの方向は、前記タッチ入力の開始点の位置、終了点の位置、加速度の方向及び入力パターンのうち、少なくとも一つに基づいて決定されることを特徴とする請求項１３ないし１６のうちいずれか１項にに記載のイメージ表示装置。
【請求項１８】
前記ディスプレイ部は、少なくとも１つのイメージを、生成された日付に基づいて検索するための日付検索バーを表示し、
前記日付検索バーは、前記少なくとも１つのイメージが生成された前記日付それぞれにマッチングする前記イメージの個数を表示することを特徴とする請求項１３ないし１７のうちいずれか１項に記載のイメージ表示装置。
【請求項１９】
前記ディスプレイ部は、前記少なくとも１つのイメージが生成された前記日付それぞれにマッチングする前記イメージを、生成された時刻に基づいて検索するための時刻検索バーを表示することを特徴とする請求項１８に記載のイメージ表示装置。
【請求項２０】
前記ディスプレイ部は、前記日付検索バーが表示された領域、及び前記時刻検索バーが表示された領域のうち、少なくとも一つに係わるタッチ入力に基づいて選択されたイメージを表示することを特徴とする請求項１９に記載のイメージ表示装置。
【請求項２１】
前記ディスプレイ部は、前記日付検索バーが表示された領域に係わるタッチ入力に基づいて選択された日付を、カーサ及び数字のうち少なくとも一つを用いて表示することを特徴とする請求項１８ないし２０のうちいずれか１項に記載のイメージ表示装置。
【請求項２２】
前記ディスプレイ部は、前記日付検索バーが表示されている領域においてマルチタッチ入力に基づいて、日付検索区間を拡大または縮小して調節することを特徴とする請求項１８ないし２１のうちいずれか１項に記載のイメージ表示装置。
【請求項２３】
前記入力受信部は、スワイプ入力、ドラッグ・アンド・ドロップ入力及びフリック入力のうち少なくとも一つを受信する請求項１３ないし２２のうちいずれか１項に記載のイメージ表示装置。
【請求項２４】
請求項１３ないし２３のうちいずれか１項に記載のイメージ表示装置は、超音波診断装置であることを特徴とするイメージ表示装置。
【請求項２５】
請求項１ないし１２のうちいずれか１項に記載の方法を具現するためのプログラムを記録したコンピュータで読み取り可能な記録媒体。
【発明の詳細な説明】
【技術分野】
【０００１】
本発明は、タッチスクリーンを含むモバイルデバイスにおいて、保存されているイメージを表示するための方法及びその装置に関する。
【背景技術】
【０００２】
モバイルデバイスに搭載されているタッチスクリーンは、ユーザからの入力を受信する手段、及びユーザにデータを出力する手段のいずれにも活用されている。タッチスクリーンが入出力手段として活用されることによって、モバイルデバイスの空間が効率的に活用される。さらに、タッチスクリーンを用いて、直観的に簡単な動作を介して、ユーザから入力を受信することができる。また、特別な事前知識がなくても所望するメニューを正確に選択することができるため、ユーザは、手軽にモバイルデバイスを使うことができる。
【０００３】
以上のような長所を有するため、タッチスクリーンは、携帯電話、ＰＤＡ（personal digital assistants）、ラップトップ・コンピュータ（laptop computer）、タブレット・コンピュータ（tablet computer）、車用ナビゲーション（navigation）及びＰＭＰ（portable media player）のような多くのモバイルデバイスで活用されている。
【発明の概要】
【発明が解決しようとする課題】
【０００４】
タッチスクリーンを含むモバイルデバイスは、入力手段の大きさが限定されている。従って、モバイルデバイスのユーザが多数のイメージを、日付別に検索したり、あるいは表示しようとするイメージの範囲設定を変更するなどの具体的な動作を入力するためには、数回の動作を反復しなければならない。
【０００５】
デスクトップ・コンピュータ（desktop computer）のように、キーボードまたはマウスなどの入力手段を本体から分離してモバイルデバイスに連結して、具体的な動作を入力することも可能であるが、かような方法は、直観性に欠け、ユーザが予め学習しておくことを要求する。
【課題を解決するための手段】
【０００６】
前記の技術的課題を解決するためのイメージ表示方法は、時間情報がマッチング（整合）された第１イメージを表示する段階、前記第１イメージが表示されている領域において所定の方向にタッチ入力を受信する段階、前記タッチ入力の前記方向に基づいて、前記第１イメージにマッチングされた前記時間情報を変更する段階、その変更された時間情報にマッチングする第２イメージを表示する段階を含む。
【０００７】
前記の技術的課題を解決するための一実施形態によれば、時間情報は、イメージが生成された日付及び時刻のうち少なくとも一つを含むことを特徴とする。
【０００８】
前記の技術的課題を解決するための一実施形態によれば、イメージ表示方法は、タッチ入力の方向を決定する段階をさらに含み、時間情報を変更する段階は、タッチ入力の方向が前記領域の第１方向に決定された場合、第１イメージが生成された日付を変更し、前記領域の第２方向に決定された場合、第１イメージが生成された時刻を変更する段階を含む。
【０００９】
前記の技術的課題を解決するための一実施形態によれば、第１方向は、前記領域の左方向または右方向であり、第２方向は、前記領域の上方向または下方向であることを特徴とする。
【００１０】
前記の技術的課題を解決するための一実施形態によれば、タッチ入力の方向は、タッチ入力の開始点の位置、終了点の位置、加速度の方向及び入力パターンのうち少なくとも一つに基づいて決定されることを特徴とする。
【００１１】
前記の技術的課題を解決するための一実施形態によれば、タッチ入力を受信する段階は、スワイプ（swipe）入力、ドラッグ・アンド・ドロップ（drag and drop）入力及びフリック（flick）入力のうち少なくとも一つを受信する段階を含む。
【００１２】
前記の技術的課題を解決するための一実施形態によれば、イメージ表示方法は、少なくとも１つのイメージを、生成された日付によって検索するための日付検索バーを表示する段階をさらに含み、日付検索バーは、少なくとも１つのイメージが生成された日付それぞれにマッチングするイメージの個数を表示することを特徴とする。
【００１３】
前記の技術的課題を解決するための一実施形態によれば、イメージ表示方法は、少なくとも１つのイメージが生成された日付それぞれにマッチングするイメージを、生成された時刻によって検索するための時刻検索バーを表示する段階をさらに含む。
【００１４】
前記の技術的課題を解決するための一実施形態によれば、イメージ表示方法は、日付検索バーが表示されている領域、及び時刻検索バーが表示されている領域のうち少なくとも一つに係わるタッチ入力に基づいて選択されたイメージを表示する段階をさらに含む。
【００１５】
前記の技術的課題を解決するための一実施形態によれば、日付検索バーを表示する段階は、日付検索バーが表示された領域に係わるタッチ入力に基づいて選択された日付を、カーサ（cursor）及び数字のうち少なくとも一つを用いて表示する段階を含む。
【００１６】
前記の技術的課題を解決するための一実施形態によれば、イメージ表示方法は、日付検索バーが表示された領域に係わるマルチタッチ（multi touch）入力に基づいて、日付検索区間を拡大または縮小して調節する段階をさらに含む。
【００１７】
前記の技術的課題を解決するための一実施形態によれば、イメージ表示方法は、超音波診断装置で遂行されることを特徴とする。
【００１８】
前記の技術的課題を解決するための装置は、時間情報がマッチングされた第１イメージを表示するディスプレイ部、第１イメージが表示された領域において、所定の方向にタッチ入力を受信する入力受信部、タッチ入力の方向に基づいて、第１イメージにマッチングされた時間情報を変更するイメージ決定部を含み、ディスプレイ部は、変更された時間情報にマッチングする第２イメージを表示することを特徴とする。
【００１９】
前記の技術的課題を解決するためのイメージ表示方法をコンピュータで実行させるためのプログラムを記録したコンピュータで読み取り可能な記録媒体を提供する。
【発明の効果】
【００２０】
本発明は、タッチスクリーンを含むモバイルデバイスが、タッチスクリーンを用いて効率的にイメージを表示するための方法及びその装置を提供する。また本発明は、タッチスクリーン上での効率的な画面配置を介して、ユーザの単純な動作だけで所望するイメージを早く検索して表示する。さらに本発明によれば、タッチスクリーンの画面転換なしに、ユーザが手軽に直観的に所望するイメージを検索して表示することができる。
【図面の簡単な説明】
【００２１】
【図１】本発明の一実施形態に係わるイメージ表示装置の構成を図示したブロック図である。
【図２】本発明の一実施形態に係わるイメージ表示方法を説明するフローチャートである。
【図３】本発明の一実施形態に係わるイメージ表示方法を説明するフローチャートである。
【図４】本発明の一実施形態に係わり、複数個のイメージを、時間情報とマッチングさせる実施形態を示した図である。
【図５】本発明の一実施形態に係わり、タッチ（touch）入力を受信してイメージを表示する実施形態を示した図である。
【図６】本発明の一実施形態に係わり、日付検索バー及び時刻検索バーを表示する実施形態を示した図である。
【図７Ａ】本発明の一実施形態に係わり、マルチタッチ（multi touch）入力によって、日付検索バーを調節する実施形態を示した図である。
【図７Ｂ】本発明の一実施形態に係わり、マルチタッチ（multi touch）入力によって、日付検索バーを調節する実施形態を示した図である。
【図７Ｃ】本発明の一実施形態に係わり、マルチタッチ（multi touch）入力によって、日付検索バーを調節する実施形態を示した図である。
【発明を実施するための形態】
【００２２】
本発明で使用される用語は、本発明での機能を考慮しつつ、可能な限り、現在広く使われている一般的な用語を選択したが、これは、当分野の当業者の意図、または判例、あるいは新たな技術の出現などによって変わることがある。また、場合によっては、出願人が任意に選定した用語を使うこともあるが、その場合は、当該発明の説明部分で詳細にその意味を記載する。従って、本発明で使用される用語は、単純な用語の名称としてではなく、その用語が有する意味と本発明の全般にわたった内容とを基に定義されなければならない。
【００２３】
明細書全体において、ある部分がある構成要素を「含む」とするとき、それは、特別な記載がない限り、他の構成要素を除くものではなく、他の構成要素をさらに含んでもよいということを意味する。また、明細書に記載した「...部」及び「...モジュール」などの用語は、少なくとも１つの機能や動作を処理する単位を意味し、それは、ハードウェアまたはソフトウェアで具現されるか、あるいはハードウェアとソフトウェアとの結合によって具現されるものである。
【００２４】
以下、図面を参照しながら、本発明の実施形態について詳細に説明する。
【００２５】
図１は、本発明の一実施形態に係わるイメージ表示装置１００の構成を図示したブロック図である。一実施形態によるイメージ表示装置１００は、入力受信部１１０、イメージ決定部１２０、ディスプレイ部１３０及び制御部１４０を含む。図１に図示された構成以外にも、イメージ表示装置１００は、他の構成をさらに含んでもよい。
【００２６】
イメージ表示装置１００は、イメージ表示装置１００のタッチスクリーン上に、イメージを表示する。イメージ表示装置１００は、例えば、携帯電話、ＰＤＡ（personal digital assistants）、ラップトップ・コンピュータ（laptop computer）、タブレット・コンピュータ（tablet computer）、車用ナビゲーション（navigation）及びＰＭＰ（portable media player）のうちいずれか一つであってもよい。ただし、イメージ表示装置１００は、前述の例示に限定されるものではなく、タッチスクリーンを含むいかなる種類の装置であってもよいということを、当該技術分野の当業者であるならば、容易に理解するであろう。
【００２７】
また、イメージ表示装置１００は、他の装置と無線または有線で連結されてもよい。すなわち、イメージ表示装置１００は、イメージを生成した他の装置から、無線または有線でイメージを受信することができる。
【００２８】
一実施形態によれば、イメージ表示装置１００がイメージを直接生成することもできる。すなわち、イメージ表示装置１００は、撮影部（図示せず）を介して対象を撮影し、イメージを直接生成することもできる。
【００２９】
イメージ表示装置１００は、複数個のイメージを、時間情報にマッチングして保存することができる。すなわち、イメージ表示装置１００は、複数個のイメージを、それぞれのイメージが生成された日付及び時刻にマッチングして保存することができる。また、イメージ表示装置１００は、複数個のイメージを、外部装置から受信された日付及び時刻のイメージにマッチングして保存することもできる。
【００３０】
一実施形態によれば、イメージ表示装置１００は、有線または無線で、複数個のイメージを受信して保存することができる。すなわち、イメージ表示装置１００は、他の装置から有線／無線で受信されたイメージを保存することができる。その場合、イメージ表示装置１００は、他の装置からイメージが撮影された日付及び時刻についての情報である時間情報を、メタデータ（metadata）の形態で、イメージと共に受信して保存する。
【００３１】
他の実施形態によれば、イメージ表示装置１００は、イメージ表示装置１００が直接生成したイメージを保存することもできる。イメージ表示装置１００が、撮影部（図示せず）を用いてイメージを直接生成する場合、イメージ表示装置１００は、イメージが撮影された日付及び時刻についての時間情報を、メタデータの形態で生成することができる。その場合、イメージ表示装置１００は、イメージが撮影された日付及び時刻についてのメタデータをイメージにマッチングして保存する。
【００３２】
前述のイメージ表示装置１００がイメージを保存する内容と係わり、イメージ表示装置１００に含まれる保存部（図示せず）に、イメージを保存することができる。保存部（図示せず）は、イメージと共に、時間情報がマッチングされて保存される。かような時間情報には、イメージが生成された日付及び時刻のうち少なくとも一つが含まれている。
【００３３】
入力受信部１１０は、外部からイメージ表示装置１００を制御する外部入力を受信する。受信される外部入力は、ユーザから受信されるタッチ入力であってもよい。入力受信部１１０は、ユーザが、身体の一部で入力受信部１１０をタッチする動作を介して、外部入力を受信することができる。また、入力受信部１１０は、スタイラスペン（stylus pen）のような入力ツールを介して、外部入力を受信することもできる。
【００３４】
一実施形態によれば、入力受信部１１０は、イメージ表示装置１００のタッチスクリーンとレイヤ（layer）構造を形成することができる。すなわち、イメージ表示装置１００のタッチスクリーンは、外部入力を受信する入力受信部１１０であると同時に、イメージを表示する出力手段である。このとき、入力受信部１１０は、タッチ入力の位置、面積及び圧力などを受信することができ、直接タッチ（real-touch）だけではなく、近接タッチ（proximity touch）も受信することができる。また、入力受信部１１０は、抵抗式タッチ（resistive touch）及び静電式タッチ（capacitive touch）のいずれも受信することができる。
【００３５】
一実施形態によれば、入力受信部１１０は、タッチスクリーン上で、イメージが表示されている領域で、タッチ（touch）入力を受信する。例えば、入力受信部１１０は、スワイプ（swipe）入力、ドラッグ・アンド・ドロップ（drag and drop）入力及びフリック（flick）入力のうち少なくとも一つを受信することができる。
【００３６】
一実施形態によれば、入力受信部１１０は、タッチスクリーン上で、日付検索バーが表示されている領域、または時刻検索バーが表示された領域に係わり、タッチ（touch）入力を受信する。また、入力受信部１１０は、タッチ入力だけではなく、二つ以上の位置を選択するマルチタッチ（multi−touch）入力を受信することもできる。すなわち、入力受信部１１０は、二つ以上の点を同時にタッチする入力を受信することもできる。
【００３７】
例えば、入力受信部１１０は、タッチスクリーン上に表示された日付検索バーにおいて、２つの点を選択して移動させるピンチ（pinch）入力またはアンピンチ（unpinch）入力を受信することができる。ピンチ入力及びアンピンチ入力は、タッチスクリーン上で、任意の２つの点を、それぞれ新たな２つの点に移動させる入力を意味する。また、ピンチ入力及びアンピンチ入力は、タッチスクリーン上で選択された任意の２つの点のうち、１つの点のみを新たな点に移動させることもできる。
【００３８】
他の実施形態によれば、入力受信部１１０は、タッチスクリーン上に表示された日付検索バーにおいて、タッチアンドドラッグ（touch and drag）入力を受信することもできる。タッチアンドドラッグ入力は、前述のタッチ入力と類似しているが、タッチスクリーン上で、任意の点一つを既定の時間以上タッチして開始点として選択するという点でタッチ入力と区別される。
【００３９】
さらに他の実施形態によれば、入力受信部１１０は、タッチスクリーンの代わりに、多種のセンサを用いて外部入力を受信することができる。すなわち、入力受信部１１０は、角速度を検出するジャイロスコープ（gyroscope）・センサなどを用いて、外部入力を受信することもできる。本実施形態において、入力受信部１１０は、ユーザがイメージ表示装置１００を、左右、上下に傾ける動作を介して、外部入力を受信することもできる。
【００４０】
イメージ決定部１２０は、入力受信部１１０が受信したタッチ入力の方向に基づいて、表示するイメージを決定する。すなわち、イメージ決定部１２０は、タッチスクリーン上に表示されるイメージにマッチングする時間情報を決定する。また、イメージ決定部１２０は、タッチ入力に基づいて、表示されている第１イメージにマッチングされた時間情報を変更することもできる。
【００４１】
一実施形態によれば、イメージ決定部１２０は、表示されるイメージの時間情報を変更する時間情報変更モジュール１２１、及びタッチ入力の方向を決定する方向決定モジュール１２２を含んでいる。
【００４２】
時間情報変更モジュール１２１は、表示されるイメージの時間情報を変更する。すなわち、時間情報変更モジュール１２１は、タッチスクリーン上に表示されている第１イメージの時間情報を第２イメージにマッチングする時間情報に変更する。一実施形態によれば、時間情報変更モジュール１２１は、入力受信部１１０から受信したタッチ入力の方向を基に、時間情報を変更する。
【００４３】
方向決定モジュール１２２は、入力受信部１１０から受信したタッチ入力の方向を決定する。タッチ入力の方向は、第１方向または第２方向に決定される。第１方向は、イメージが表示される領域の「左」方向または「右」方向であり、第２方向は、イメージが表示される領域の「上」方向または「下」方向である。一実施形態によれば、方向決定モジュール１２２は、入力受信部１１０から受信したタッチ入力の開始点の位置、終了点の位置、加速度の方向及び入力パターンのうち少なくとも一つに基づいて、タッチ入力の方向を決定する。詳細な内容については、図５で説明する。
【００４４】
このように、時間情報変更モジュール１２１は、方向決定モジュール１２２が、タッチ入力の方向を第１方向に決定した場合、第１イメージの時間情報のうち、第１イメージが生成された日付を変更する。また、タッチ入力の方向が第２方向に決定された場合、時間情報変更モジュール１２１は、第１イメージの時間情報のうち、第１イメージが生成された時刻を変更する。
【００４５】
ディスプレイ部１３０は、時間情報がマッチングされたイメージを表示する。すなわち、ディスプレイ部１３０は、イメージ決定部１２０が、イメージにマッチングする時間情報を用いて決定したイメージをタッチスクリーン上に表示する。また、ディスプレイ部１３０は、タッチ入力及びマルチタッチ入力など、入力受信部１１０が受信する外部入力に基づいて決定された時間情報にマッチングするイメージを表示することもできる。
【００４６】
一実施形態によれば、ディスプレイ部１３０は、少なくとも１つのイメージを、生成された日付によって検索するための日付検索バー、及び少なくとも１つのイメージが生成された日付それぞれにマッチングするイメージが生成された時刻によって検索するための時刻検索バーのうち少なくとも一つを表示する。本実施形態については、図６で詳細に説明する。
【００４７】
一実施形態によれば、ディスプレイ部１３０は、外部から受信されたタッチ入力に基づいて選択されたイメージを表示する。また、ディスプレイ部１３０は、入力受信部１２０が受信したマルチタッチ入力に基づいて、日付検索バーを調節して表示する。
【００４８】
他の実施形態によれば、ディスプレイ部１３０は、イメージに係わる付加情報をタッチスクリーンに表示することもできる。付加情報は、イメージに係わるユーザのメモ、イメージが撮影された場所、イメージが撮影された時間及び日付などを含む。タッチスクリーン上に表示されるイメージが医療用超音波映像であり、イメージ表示装置１００が超音波診断装置である場合、ディスプレイ部１３０は、付加情報として、対象体の測定情報、診断情報及び患者情報のうち少なくとも一つを表示する。
【００４９】
制御部１４０は、イメージ表示装置１００、入力受信部１１０、イメージ決定部１２０及びディスプレイ部１３０を全般的に制御する。例えば、制御部１４０は、イメージ決定部１２０が入力受信部１１０から受信した外部入力を基に、時間情報を変更したり、あるいは表示するイメージを選択するように制御する。または、制御部１４０は、イメージ決定部１２０で決定されたイメージを、ディスプレイ部１３０がタッチスクリーン上に表示するように制御する。
【００５０】
図２は、イメージを表示する方法の一実施形態を図示したフローチャートである。
【００５１】
段階２１０で、イメージ表示装置１００は、第１イメージを表示する。すなわち、イメージ表示装置１００は、タッチスクリーン上に、第１イメージを表示する。表示される第１イメージは、時間情報とマッチングされ、生成された日付及び時点のうち少なくとも一つについての情報がマッチングされる。
【００５２】
段階２２０で、イメージ表示装置１００は、タッチ入力を受信する。受信されるタッチ入力は、タッチスクリーン上の少なくとも１つの位置を選択する入力である。また、タッチ入力は、タッチスクリーン上の２つの点を連結する入力であってもよいし、例えば、スワイプ入力、ドラッグ・アンド・ドロップ入力及びフリック入力を含んでもよい。段階２２０で、イメージ表示装置１００は、マルチタッチ入力を受信することもできる。
【００５３】
段階２３０で、イメージ表示装置１００は、タッチ入力の方向を決定する。イメージ表示装置１００は、タッチスクリーンを介して受信されるタッチ入力のタッチスクリーン上の位置である開始点及び終了点の位置に基づいて、タッチ入力の方向を決定する。他の実施形態によれば、位置だけではなく、タッチ入力の加速度の方向または入力パターンに基づいて、タッチ入力の方向を決定してもよい。
【００５４】
すなわち、一実施形態によれば、イメージ表示装置１００は、タッチスクリーンを介して入力されるタッチ入力の加速度方向を検出し、加速度方向をタッチ入力の方向に決定することもできる。または、イメージ表示装置１００は、イメージが表示される領域の左右、上下の方向に係わる入力パターンをあらかじめ保存しておいた後、受信されるタッチ入力と比較し、タッチ入力の方向を決定することもできる。
【００５５】
以下、段階２３０で、タッチ入力の方向を決定する具体的な過程について説明する。
【００５６】
一実施形態によれば、イメージ表示装置１００は、タッチ入力の方向を、左右、上下のうちいずれか一つに決定する。例えば、タッチ入力の開始点及び終了点を連結した直線が、イメージが表示される領域の横方向の水平線と形成する角度が０°以上４５°未満であれば、イメージ表示装置１００は、タッチ入力の方向を、左または右に決定する。反対に、タッチ入力が、イメージが表示される領域の横方向の水平線と形成する角度が、４５°以上９０°以下であるならば、イメージ表示装置１００は、タッチ入力の方向を上下に決定する。
【００５７】
他の実施形態によれば、イメージ表示装置１００は、タッチ入力の方向を対角線方向にも決定することができる。すなわち、タッチ入力が、イメージが表示される領域の横方向の水平線と形成する角度が、０°以上３０°未満であれば、タッチ入力の方向を、左または右に、６０°以上９０°未満であれば、方向を上下に決定する。さらに、３０°以上６０°未満の角度について、方向決定モジュール１２２は、タッチ入力の方向を、イメージが表示される領域の、左側の上方向対角線、左側の下方向対角線、右側の上方向対角線及び右側の下方向対角線のうちいずれか一つに決定することもできる。
【００５８】
段階２４０で、イメージ表示装置１００は、時間情報を変更する。すなわち、イメージ表示装置１００は、段階２３０で決定されたタッチ入力の方向に基づいて、第１イメージの時間情報を変更する。以下で、イメージ表示装置１００が時間情報を変更する詳細な過程について説明する。
【００５９】
イメージ表示装置１００は、タッチ入力の方向を基に、表示するイメージにマッチングする時間情報を変更することができる。すなわち、イメージ表示装置１００は、タッチ入力の方向が第１方向である場合、第１イメージが生成された日付を変更し、タッチ入力が第２方向である場合、第１イメージが生成された時刻を変更する。このとき、第１方向及び第２方向は、左右、上下のうちいずれか一つであり、第１方向及び第２方向は、互いに異なる方向である。本実施形態については、図５で追加的に説明する。
【００６０】
段階２５０で、イメージ表示装置１００は、変更された時間情報にマッチングする第２イメージを表示する。すなわち、段階２４０で変更された時間情報を基に、イメージが生成された日付及び時刻のうち少なくとも一つにマッチングする新たなイメージが表示される。
【００６１】
図３は、タッチスクリーン上に、日付検索バー及び時刻検索バーを表示する方法の一実施形態について説明するフローチャートである。
【００６２】
段階３１０で、イメージ表示装置１００は、タッチスクリーン上に、少なくとも１つのイメージを、生成された日付に基づいて検索するための日付検索バーを表示する。日付検索バーは、少なくとも１つのイメージが生成された日付それぞれにマッチングするイメージの個数を表示する。
【００６３】
段階３２０で、イメージ表示装置１００は、少なくとも１つのイメージが生成された日付それぞれにマッチングするイメージを、生成された時刻によって検索するための時刻検索バーを表示する。時刻検索バーには、日付検索バーで選択された日付にマッチングするイメージが、時刻順序に従って表示される。
【００６４】
段階３３０で、イメージ表示装置１００は、タッチ入力に基づいて選択されたイメージを表示する。すなわち、日付検索バーが表示された領域、及び時刻検索バーが表示された領域のうち少なくとも一つに係わるタッチ入力に基づいて選択されたイメージが、タッチスクリーン上に表示される。本実施形態については、図６で詳細に説明する。
【００６５】
以下では、複数個のイメージを保存して表示する実施形態について、図４及び図５を使用して説明する。
【００６６】
図４は、複数個のイメージと時間情報とをマッチングさせる実施形態を示した図である。図４に示されたテーブル４００は、複数個のイメージの実際の位置または空間を意味するものではなく、複数個のイメージが時間情報とマッチングされる実施形態について説明するための仮想的な順序及び配列であるということを、当該技術分野の当業者であるならば、容易に分かるであろう。
【００６７】
図４に示されたテーブル４００の四角形ボックス４１０，４２０，４３０，４４０は、それぞれイメージ表示装置に保存されているイメージを示す。図４のテーブル４００で、横軸は、複数個のイメージが撮影された日付についての情報を、縦軸は、複数個のイメージが撮影された時刻についての情報を示す。
【００６８】
一実施形態によれば、イメージ表示装置は、２０１１年１月１０日に撮影された最初の時刻順序のイメージである４１０を表示している。テーブル４００に示されているように、２０１１年１月１日に撮影されたイメージは、３個、２０１１年１月５日に撮影されたイメージは、１個、２０１１年１月１０日に撮影されたイメージは、４個であるなど、各日付別に図示されたボックスの個数が示されており、それぞれ当該日付に撮影されたイメージの個数が示されている。また、同一日付に撮影された複数個のイメージは、それぞれのイメージが撮影された時間情報を基に、時刻順序に従って、仮想のテーブル４００に配列されている。
【００６９】
本実施形態において、イメージ表示装置がタッチ入力を受信し、受信されたタッチ入力の方向が「右」に決定されると、現在表示されているイメージ４１０で、次の日付である２０１１年１月２０日のイメージである４３０が表示される。従って、イメージ表示装置は、現在の時間情報を変更し、次の日付である２０１１年１月２０日及び当該日付の最初の順序の時間情報を選択する。次に、イメージ表示装置は、２０１１年１月２０日の日付及び最初の順序の時刻に該当するイメージである４３０を表示する。
【００７０】
一方、タッチ入力の方向が「左」に決定された場合は、イメージ表示装置は、以前の日付である２０１１年１月５日及び当該日付の最初の順序の時間情報を決定し、この情報にマッチングするイメージである４２０を表示する。同様に、タッチ入力の方向が「下」に決定された場合、イメージ表示装置は、２０１１年１月１０日の日付とマッチングする４個のイメージのうち、２番目の順序の時刻にマッチングするイメージである４４０を表示する。
【００７１】
逆に、タッチ入力の方向が「上」に決定された場合には、当該日付である２０１１年１月１０日で、イメージ４１０より早い順序の時刻にマッチングするイメージは存在しないので、イメージ表示装置は、それ以前の日付である２０１１年１月５日にマッチングするイメージのうち、最後の順序の時刻にマッチングするイメージである４２０を表示する。
【００７２】
このようにして、イメージ表示装置１００は、複数個のイメージを時間情報とそれぞれマッチングさせ、タッチ入力の方向に基づいて選択されたイメージを表示することができる。
【００７３】
図５は、本発明の一実施形態に係わり、タッチ入力を受信してタッチスクリーン５００上にイメージを表示する実施形態を示した図である。以下、図５について、図４の内容と共に説明する。
【００７４】
図５に図示されたタッチスクリーン５００には、イメージが表示される第１領域５１０、日付検索バーが表示される第２領域５２０、時刻検索バーが表示される第３領域５３０がそれぞれ図示されている。すなわち、イメージ表示装置は、第１領域５１０には、表示するイメージを、第２領域５２０には、日付検索バーを、第３領域５３０には、時刻検索バーをそれぞれ表示する。図５では、第１領域５１０に係わる実施形態を図示及び説明し、第２領域５２０及び第３領域５３０については、図６で詳細に説明する。
【００７５】
一実施形態によれば、イメージ表示装置１００は、第１領域５１０に、図４のイメージ４１０を表示する。次に、イメージ表示装置１００は、タッチスクリーン５００の第１領域５１０を介して、タッチ入力を受信する。図５では、タッチ入力の方向が第１領域５１０の「左」である場合（５１１，５１２）、及び「上」である場合（５１３，５１４）を図示する。
【００７６】
まず、タッチ入力の方向が「左」である場合（５１１，５１２）について詳細に説明する。イメージ表示装置１００は、第１領域５１０を介して受信されるタッチ入力の開始点５１１及び終了点５１２を連結した直線が、第１領域５１０の横方向の水平線と形成する角度を決定する。次に、前述のように、決定された角度が既定の角度以下である場合、タッチ入力の方向を、「左」または「右」に決定する。本実施形態では、タッチ入力の開始点５１１及び終了点５１２を連結した直線が、横方向の水平線と平行であり、開始点５１１の位置が終了点５１２の位置より右側であるので、イメージ表示装置１００は、タッチ入力の方向を「左」に決定する。
【００７７】
次に、イメージ表示装置１００は、現在表示しているイメージ４１０の日付、時刻及びタッチ入力の方向を基に、新たに表示するイメージの日付及び時刻を決定する。一実施形態によれば、イメージ表示装置１００は、受信されたタッチ入力の方向が、「左」または「右」である場合、現在表示しているイメージの日付を変更し、新たな日付を決定する。イメージ表示装置１００が、タッチ入力の方向を決定する過程において、前述の過程に限定されずに、他のさまざまなアルゴリズムを活用してもよいことは、当該技術分野の当業者であれば容易に分かるであろう。
【００７８】
例えば、図４に図示されたように、イメージ４１０の日付である２０１１年１月１０日以前の日付は、２０１１年１月５日に該当するので、イメージ表示装置１００は、２０１１年１月５日にマッチングする日付を決定する。次に、イメージ表示装置１００は、２０１１年１月５日の日付にマッチングするイメージである４２０を表示する。
【００７９】
他の実施形態において、２０１１年１月５日の日付にマッチングするイメージが複数個である場合、イメージ表示装置は、２０１１年１月５日の日付にマッチングするイメージのうち、最も早い順序の時刻にマッチングするイメージを表示する。すなわち、現在表示されているイメージ４１０において、タッチ入力の方向が「右」に決定された場合、２０１１年１月２０日にマッチングする２個のイメージのうち、最も早い順序の時刻にマッチングするイメージである４３０が表示される。
【００８０】
次に、タッチ入力の方向が「上」である場合について説明する。イメージ表示装置１００は、タッチスクリーン５００の第１領域５１０に受信されるタッチ入力の開始点５１３及び終了点５１４を基に、タッチ入力の方向を決定する。すなわち、本実施形態では、タッチ入力が第１領域５１０の横方向の水平線と形成する角度が、既定の角度以上である９０°であり、開始点５１３の位置が終了点５１４より下側にある場合であるので、イメージ表示装置１００は、タッチ入力の方向を「上」に決定する。
【００８１】
次に、イメージ表示装置１００は、現在表示されているイメージの日付、時刻及びタッチ入力の方向を基に、新たに表示するイメージの時間情報を決定する。すなわち、図４と共に説明すれば、現在表示されているイメージ４１０の日付（２０１１年１月１０日）、時刻（最初の順序）及びタッチ入力の方向（上）を基に、それ以前の順序の時刻にマッチングするイメージを選択する。図４に図示されたように、２０１１年１月１０日付にマッチングするイメージのうち、現在のイメージ４１０が、最も早い順序の時刻にマッチングするイメージである。従って、イメージ表示装置１００は、２０１１年１月１０日付にマッチングするイメージではない、それ以前の日付である２０１１年１月５日にマッチングするイメージのうち、最も遅い順序の時刻にマッチングするイメージである４２０を表示する。
【００８２】
さらに他の実施形態によれば、現在表示されているイメージが４４０である場合、イメージ表示装置１００は、タッチ入力の方向が「上」に決定されることによって、同じ日付である２０１１年１月１０日にマッチングするイメージのうち、それ以前の順序の時刻にマッチングするイメージである４１０を、第１領域５１０に表示する。
【００８３】
このように、イメージ表示装置１００は、複数個のイメージを日付と時刻とにマッチングして保存し、タッチ入力に基づいて、イメージを表示する。これによって、ユーザは、タッチスクリーンを介して、簡単な動作で、希望する日付及び時刻に該当するイメージを選択することができる。
【００８４】
さらに他の実施形態によれば、イメージ表示装置１００は、タッチ入力の位置以外にも、加速度の方向及び入力パターンなど、さまざまな方法を用いて、時間情報を変更することができる。例えば、イメージ表示装置１００は、タッチ入力の加速度の方向を測定し、横方向の水平線と形成する角度を基準に、タッチ入力の方向を決定することができる。また、イメージ表示装置１００は、受信されるタッチ入力の入力パターンを、保存された一つ以上のパターンと比較し、タッチ入力の方向を決定することもできる。
【００８５】
さらに他の実施形態によれば、イメージ表示装置１００は、タッチスクリーン５００の第４領域（図示せず）に、イメージに係わる付加情報を表示することができる。すなわち、イメージ表示装置１００は、付加情報として、イメージに係わるユーザのメモ、イメージが撮影された場所、イメージが撮影された時刻及び日付などを表示することができる。
【００８６】
本実施形態において、イメージ表示装置１００は超音波診断装置であり、表示されるイメージが超音波映像であってもよい。このとき、イメージ表示装置１００は、付加情報として、対象体を測定した長さまたは大きさを示す測定情報、対象体に対するユーザの意見である診断情報及び対象体の氏名、年齢などの個人情報を含む患者情報のうち、少なくとも一つを表示することができる。
【００８７】
本実施形態によれば、ユーザは、簡便な動作を介してイメージを選択し、該当するイメージと係わる付加情報を表示することができ、イメージに係わるメモを作成して保存することもできる。
【００８８】
図６は、本発明の一実施形態に係わり、日付検索バー及び時刻検索バーを表示する実施形態を図示した図面である。
【００８９】
本実施形態において、イメージ表示装置１００は、タッチスクリーン５００の第２領域５２０に、日付検索バー５２５を、第３領域５３０に、時刻検索バー５３５をそれぞれ表示する。詳細に説明すれば、イメージ表示装置１００は、少なくとも１つのイメージを、生成された日付によって検索するための日付検索バー５２５、及び少なくとも１つのイメージが生成された日付それぞれにマッチングするイメージを、生成された時刻に従って検索するための時刻検索バー５３５を、それぞれ第２領域５２０及び第３領域５３０に表示する。
【００９０】
図６に図示された日付検索バー５２５には、２０１０年１０月３１日から２０１２年３月１日までの日付検索区間が図示されている。イメージ表示装置１００は、保存された複数個のイメージの日付を基に、日付検索バー５２５に表示される日付検索区間を決定することができる。すなわち、２０１０年１０月３１日以前、あるいは２０１２年３月１日以後の日付検索区間に係わるイメージが、イメージ表示装置に保存されていれば、イメージ表示装置は、日付検索区間を２０１０年１０月３１日より以前に、あるいは２０１２年３月１日より以後に変更して示すことができる。
【００９１】
図６に図示された日付検索バー５２５について詳細に説明すれば、イメージ表示装置は、日付検索バー５２５の日付検索区間のうち、年度が変更される地点を別途に表示することができる。図６では、２０１０年度から２０１１年度に変わる地点を、５２７ａの点線で表示し、２０１１年度から２０１２年度に変わる地点を、５２７ｂの点線で表示する実施形態を図示している。年度変更地点は、点線ではない他の異なる方法を介して表示してもよい。
【００９２】
一実施形態によれば、イメージ表示装置１００は、少なくとも１つのイメージが生成された日付を、日付検索バー５２５に表示する。すなわち、イメージ表示装置１００は、全体日付検索区間のうち、保存されたイメージの日付を、日付検索バー５２５に太く表示する。また、イメージ表示装置１００は、少なくとも１つのイメージが生成された日付それぞれにマッチングするイメージの個数を表示する。
【００９３】
図６には、本実施形態によって、「４」、「３」、「１０」と表示された数字と共に、太く表示された線５２６が図示されている。これは、当該日付に、それぞれ４個、３個、１０個のイメージが保存されたことを意味する。これによって、ユーザは、日付検索バーに示された数字及び線５２６を参考にして、全体イメージの分布を容易に知ることができる。
【００９４】
また、イメージ表示装置１００は、複数個の日付のうち、外部入力によって選択された日付を、数字及び／またはカーサ（cursor）５２８を用いて表示することができる。すなわち、日付検索バーが表示された領域に係わるタッチ入力が受信されると、イメージ表示装置１００は、選択された日付を、他の日付と区別されるように表示する。これによって、ユーザは、全体日付検索区間のうち、現在タッチスクリーン上に表示されている日付が分布する位置を容易に知ることができる。
【００９５】
本発明の他の実施形態について説明すれば、イメージ表示装置１００は、タッチスクリーンを介して受信されるマルチタッチ入力を介して、日付検索バーに表示される日付検索区間を調節することができる。詳細な実施形態については、図７Ａないし図７Ｃで説明する。
【００９６】
図６で、タッチスクリーン５００の第３領域５３０に表示された時刻検索バー５３５が図示されている。第２領域５２０に表示された日付検索バー５２５の日付検索区間のうち、タッチ入力によって選択された２０１１年２月３日付にマッチングする４個のイメージは、時刻検索バー５３５に、時刻順序に従って表示される。本実施形態によれば、４個のイメージの時刻は、それぞれ太線５３６（あるいはカーサ５３７）を介して示される。
【００９７】
一実施形態によれば、日付検索バー５２５を介して受信されるタッチ入力に基づいて選択された日付が変更されれば、当該日付にマッチングするイメージが、時刻検索バー５３５に変更されて表示される。すなわち、イメージ表示装置は、日付検索バー５２５で決定された日付にマッチングする少なくとも１つのイメージの時刻を、時刻検索バー５３５に表示する。
【００９８】
他の実施形態によれば、イメージ表示装置は、日付検索バー５２５で選択された日付検索区間に含まれるイメージの総個数を、時刻検索バー５３５に表示する。すなわち、図６に図示された実施形態によれば、時刻検索バー５３５に「４」（５３８）という数字が表示され、現在選択された日付（５２８）にマッチングする全体イメージ分布が容易に分かるように表示される。
【００９９】
図６に関連して、さらに他の実施形態について説明すれば、イメージ表示装置は、日付検索バー５２５及び時刻検索バー５３５に係わるタッチ入力に基づいて、決定された日付及び時刻にマッチングするイメージを表示する。すなわち、イメージ表示装置は、日付検索バー５２５及び時刻検索バー５３５に受信される外部入力を基に、イメージを選択して表示する。
【０１００】
本実施形態について、図６と共に詳細に説明すれば、イメージ表示装置は、日付検索バー５２５で、１０個のイメージがマッチングされて保存された日付を意味する「１０」の数字、または「１０」の数字と連結された太線５２６に係わるタッチ入力を受信する。次に、イメージ表示装置は、当該日付にマッチングする１０個のイメージのうち、最も早い順序の時刻にマッチングするイメージを、第１領域５１０に表示する。次に、イメージ表示装置が、第１領域５１０に、「下」方向のタッチ入力を３回受信した場合、イメージ表示装置は、１０個のイメージのうち、現在表示されている最も早い順序の時刻にマッチングするイメージから、２番目、３番目、４番目に早い順序の時刻にマッチングするイメージを、順次にタッチスクリーン５００上に表示する。
【０１０１】
第１領域５１０の「左」方向または「右」方向のタッチ入力についても同様に、タッチ入力が、「左」方向に受信されると、イメージ表示装置は、１０個のイメージがマッチングされて保存された日付のすぐ以前の日付である３個のイメージが保存されている日付のイメージを表示する。一実施形態によれば、３個のイメージのうち、最も早い順序の時刻にマッチングするイメージが表示される。
【０１０２】
図５及び図６で説明したように、イメージ表示装置は、イメージ、日付検索バー５２５及び時刻検索バー５３５をタッチスクリーン５００に表示することができる他、外部入力を受信して選択されたイメージを新たに表示することもできる。このようにユーザは、タッチ入力のような簡単な操作によって、日付及び時刻を変更し、新たなイメージを表示することができる。
【０１０３】
図７Ａ、図７Ｂ及び図７Ｃは、本発明の一実施形態に係わり、マルチタッチ入力を介して、日付検索区間を調節する実施形態をそれぞれ示した図である。
【０１０４】
図７Ａで、イメージ表示装置がタッチスクリーンに表示する日付検索バー７１０が図示されている。本実施形態では、日付検索バー７１０には、２０１１年１月１日から２０１１年１２月３１日までの日付検索区間が図示されている。
【０１０５】
次に、イメージ表示装置は、マルチタッチ入力を受信し、日付検索区間を調節し、新たな日付検索区間を表示することができる。例えば、イメージ表示装置は、ピンチ（pinch）入力を基に、既存の日付検索区間を新たな日付検索区間に拡大して調節することができる。
【０１０６】
詳細に説明すれば、７１１ａ及び７１２ａからなる範囲は、マルチタッチ入力によって、それぞれ７１１ｂ及び７１２ｂに拡張される。このとき、イメージ表示装置１００は、マルチタッチ入力に基づいて、日付検索区間を２０１１年４月１日から２０１１年８月１日に新たに変更して表示する。言い替えれば、マルチタッチ入力を基に、日付検索バーが拡大されてタッチスクリーン上に表示される。この様子が図７Ｂに示されている。
【０１０７】
他の実施形態によれば、イメージ表示装置は、マルチタッチ入力を介して決定された新たな日付検索区間にマッチングするイメージについて、新たな日付検索区間のイメージの時刻を、時刻検索バーに表示することもできる。
【０１０８】
図７Ｂでは、図７Ａとは異なり、メージ表示装置１００は、日付検索バー７２０にマルチタッチ入力を受信して、その受信されたマルチタッチ入力によって、新たな日付検索区間を決定する。図７Ｂでは、アンピンチ（unpinch）入力を介して、日付検索区間を調節する実施形態が図示されている。
【０１０９】
イメージ表示装置１００は、マルチタッチ入力に基づいて、２０１１年４月１日から２０１１年８月１日までの日付検索区間を縮小して調節することもできる。すなわち、７２１ａ及び７２２ａで表現される範囲が、マルチタッチ入力に基づいて、それぞれ７２１ｂ及び７２２ｂに縮小される。イメージ表示装置１００は、このようにマルチタッチ入力に基づいて、日付検索区間を２０１１年２月１日から２０１１年１１月１日に新しく変更することができる。言い替えれば、マルチタッチ入力を基に、日付検索バーが縮小され、タッチスクリーン上に表示される。この様子が図７Ｃに図示されている。
【０１１０】
また、イメージ表示装置１００は、新たに決定されたマーカー７２１ｂ，７２２ｂに基づいて、その日付検索区間にマッチングするイメージを決定する。次に、イメージ表示装置は、新たな日付検索区間にマッチングするイメージの時刻を、時刻検索バーに表示する。
【０１１１】
図７Ｃ（日付検索バー７３０）では、イメージ表示装置がマルチタッチ入力を受信し、その受信された入力によって新たな日付検索区間を決定する実施形態が図示されている。すなわち、イメージ表示装置１００は、受信されたマルチタッチ入力によって、現在の日付区間を変更する。詳細に説明すれば、７３１ａ及び７３２からなる範囲は、マルチタッチ入力によって、７３１ｂ及び７３２に新たに変更される。すなわち、７３２をタッチする入力は維持したまま、７３１ａを移動させるマルチタッチ入力が受信される。マルチタッチ入力によって、新たに決定された日付検索区間は、２０１１年２月１日から２０１１年７月１日に新たに変更される。図７Ａ及び図７Ｂと同様に、イメージ表示装置は、新たな日付検索区間にマッチングするイメージを決定し、そのイメージの時刻を時刻検索バーに表示する。
【０１１２】
一方、前述の方法は、コンピュータで実行されるプログラムで作成可能であり、コンピュータ判読可能媒体を利用し、前記プログラムを動作させる汎用デジタル・コンピュータで具現される。また、前述の方法で使用されたデータの構造は、コンピュータ判読可能媒体に多くの手段を介して記録される。本発明の多様な方法を遂行するための実行可能なコンピュータコードを含む保存デバイスについて説明するために使用されるプログラム保存デバイスは、搬送波（carrier waves）や信号のような一時的な対象を含むものに限らない。前記コンピュータ判読可能媒体は、マグネチック記録媒体（例えば、ＲＯＭ（read only memory）、フロッピー（登録商標）ディスク、ハードディスクなど）、光学的判読媒体（例えば、ＣＤ−ＲＯＭ、ＤＶＤなど）のような記録媒体を含む。
【０１１３】
以上で説明したイメージ表示装置、イメージ表示方法、及びイメージ表示方法に係わるプログラムが記録されたコンピュータ判読可能媒体によれば、複数個のイメージを日付と時刻とによってタッチスクリーン上に簡便に表示することができる効果がある。
【０１１４】
また、ユーザの立場では、日付検索バー及び時刻検索バーを用いて、さまざまな日付及び時刻にわたって保存された複数個のイメージを、簡単な動作だけで、検索及び観察することができる。モバイルデバイスの立場からは、限定されたタッチスクリーンでも、効率的にイメージを表示することができる。
【０１１５】
本発明の実施形態と係わる技術分野で当業者であるならば、前記記載の本質的な特性から外れない範囲で変形された種々の形態が具現されるということを理解することができるであろう。従って、開示された方法は、限定的な観点ではなく、説明的観点から考慮されなければならない。本発明の範囲は、発明の詳細な説明ではなく、特許請求の範囲に示されており、それと同等な範囲内にあるあらゆる差異は、本発明の範囲に含まれるものであると解釈されなければならない。
【産業上の利用可能性】
【０１１６】
本発明のイメージ表示方法及びその装置は、例えば、携帯電子機器における検索関連の技術分野に効果的に適用可能である。
【符号の説明】
【０１１７】
１００    イメージ表示装置
１１０    入力受信部
１２０    イメージ決定部
１２１    時間情報変更モジュール
１２２    方向決定モジュール
１３０    ディスプレイ部
１４０    制御部
４００    テーブル
４１０，４２０，４３０，４４０    四角形ボックス
５００    タッチスクリーン
５１０    第１領域
５１１，５１３    開始点
５１２，５１４    終了点
５２０    第２領域
５２５，７１０，７２０，７３０    日付検索バー
５２８，５３７    カーサ
５３０    第３領域
５３５    時刻検索バー
５２６，５３６    太線
【図１】
2013168144.tif 000003
【図２】
2013168144.tif 000004
【図３】
2013168144.tif 000005
【図４】
2013168144.tif 000006
【図５】
2013168144.tif 000007
【図６】
2013168144.tif 000008
【図７Ａ】
2013168144.tif 000009
【図７Ｂ】
2013168144.tif 000010
【図７Ｃ】
2013168144.tif 000011